(57)【要約】  情報端末から投稿される投稿情報を収集するサーバから、特定の投稿情報を取得する取得部と、前記投稿情報を時系列情報に基づいて制御する制御部と、予め設定された設定動作を検知する検知部とを備える情報端末。前記制御部は、前記検知部が前記設定動作を検知すると、前記サーバから取得した他の情報端末の情報に基づき、前記他の情報端末が提供するデータの少なくとも一部を前記時系列情報に基づいて取得する共有処理を実行する。
2014162920.tif 000002
【特許請求の範囲】
【請求項１】
情報端末から投稿される投稿情報を収集するサーバから、特定の投稿情報を取得する取得部と、
前記投稿情報を時系列情報に基づいて制御する制御部と、
予め設定された設定動作を検知する検知部と
を備え、
前記制御部は、前記検知部が前記設定動作を検知すると、前記サーバから取得した他の情報端末の情報に基づき、前記他の情報端末が提供するデータの少なくとも一部を前記時系列情報に基づいて取得する共有処理を実行する
ことを特徴とする情報端末。
【請求項２】
前記制御部は、前記設定動作を検知すると、前記サーバから前記他の情報端末の情報を取得する
ことを特徴とする請求項１に記載の情報端末。
【請求項３】
前記制御部は、前記設定動作を検知すると、自端末の位置情報に基づき、前記サーバが抽出した前記他の情報端末の情報を取得する
ことを特徴とする請求項１又は２に記載の情報端末。
【請求項４】
前記制御部は、前記設定動作に基づく一定期間の間、前記投稿情報を取得する
ことを特徴とする請求項１から３のいずれか一項に記載の情報端末。
【請求項５】
第１の情報端末と、
第２の情報端末と、
前記第１の情報端末と前記第２の情報端末とでデータを共有する共同行為を行うことにより各情報端末からのデータの共有設定を行った際に、前記データの共有設定が行われている情報端末の一方の情報端末の投稿データまたは投稿データへのリンクを他方の情報端末のタイムラインに表示することにより前記データの共有を行うコミュニティサービス装置と
を備えることを特徴とするアクセスシステム。
【請求項６】
前記コミュニティサービス装置は、前記データの共有設定を行った後、所定の条件が満たされたときに前記データの共有設定を解除する
ことを特徴とする請求項５に記載のアクセスシステム。
【請求項７】
前記各情報端末は、前記コミュニティサービス装置に対する前記データの共有設定に際し、前記共同行為が予め設定された行為であった場合は、共有相手に制限を設定する
ことを特徴とする請求項５又は６に記載のアクセスシステム。
【請求項８】
前記各情報端末は、前記コミュニティサービス装置に対する前記データの共有設定に際し、前記共同行為が予め設定された行為であった場合は、片方向の共有を設定する
ことを特徴とする請求項５から７のいずれか一項に記載のアクセスシステム。
【請求項９】
前記各情報端末は、前記コミュニティサービス装置に対する前記データの共有設定に際し、共有する前記データを限定して設定する
ことを特徴とする請求項５から８のいずれか一項に記載のアクセスシステム。
【請求項１０】
前記各情報端末は、前記コミュニティサービス装置に対する前記データの共有設定に際し、前記共同行為が行われた時刻よりも前の前記データを共有する
ことを特徴とする請求項５から９のいずれか一項に記載のアクセスシステム。
【請求項１１】
前記情報端末の少なくとも一方は、前記コミュニティサービス装置への前記データの投稿に際し、前記共同行為を行った他方の情報端末のユーザと一緒にいることを示す情報を前記投稿データに付加する
ことを特徴とする請求項５から１０のいずれか一項に記載のアクセスシステム。
【請求項１２】
情報端末から投稿される投稿情報を収集するサーバから、特定の投稿情報を取得する取得段階と、
前記投稿情報を時系列情報に基づいて制御する制御段階と、
予め設定された設定動作を検知する検知段階と
を備え、
前記制御段階においては、前記検知段階において、前記設定動作が検知されると、前記サーバから取得した、他の情報端末の情報に基づき、前記他の情報端末が提供するデータの少なくとも一部を前記時系列情報に基づいて取得する共有処理を実行する
ことを特徴とする情報処理方法。
【請求項１３】
コンピュータを、
情報端末から投稿される投稿情報を収集するサーバから、特定の投稿情報を取得する取得部、
前記投稿情報を時系列情報に基づいて制御する制御部、
予め設定された設定動作を検知する検知部
として機能させ、
前記制御部は、前記検知部が、前記設定動作を検知すると、前記サーバから取得した、他の情報端末の情報に基づき、前記他の情報端末が提供するデータの少なくとも一部を前記時系列情報に基づいて取得する共有処理を実行する
ことを特徴とするプログラム。
【発明の詳細な説明】
【技術分野】
【０００１】
本発明は、情報端末、アクセスシステム、情報処理方法及びプログラムに関する。
【背景技術】
【０００２】
近年は、インターネットを使ったソーシャルネットワーキングサービス（ＳＮＳ）の発展により、友人や趣味趣向の合う人とのコミュニケーションを楽しむ人が増えている。【０００３】
このような背景に関連する技術としては、様々なものが知られている（例えば、特許文献１参照。）。【０００４】
例えば、特許文献１には、ネットワークを介して接続可能なサーバと各ユーザ機器とを備え、友人関係又は親友関係が設定されたユーザ間でのコミュニケーションサービスを提供するソーシャルネットワーキングシステムが記載されている。
より具体的に説明すると、サーバは、ユーザ機器を使用するユーザ毎に設けられている記憶領域に各ユーザのマルチメディアデータを記憶すると共に、個人利用の範囲と考え得る所定人数の範囲内で所定のユーザ間に親友関係が設定されていることを表す関係情報を記憶する。
そして、ユーザ機器は、サーバに記憶されているマルチメディアデータに対するアクセス要求を発行する。サーバは、ユーザ機器からアクセス要求が送信されてきたとき、ユーザ機器を使用しているユーザの記憶領域に記憶されたマルチメディアデータ、及び当該ユーザと親友関係が設定されているユーザの記憶領域に記憶されたマルチメディアデータに対するアクセスを許容する。
このように、このソーシャルネットワーキングシステムによっては、個人利用の範囲内において合法的にメディアファイルを共有することができる。【０００５】
また、設定された会員に対してのみデータを公開する技術がある。【０００６】
このような背景に関連する技術としては、様々なものが知られている（例えば、特許文献２参照。）。【０００７】
例えば、特許文献２には、レベル設定部によってレベルが設定された会員に対して、レベルに該当するデータを公開するように機器に対してアクセス制限を行うサーバが記載されている。
より具体的に説明すると、サーバは、ＳＮＳを通じて公開対象となるデータに対して、レベルが異なる会員別にアクセス制限をすることができるように公開レベルを設定する。このように、このサーバによっては、書き込んだ内容が特定の限られた会員にのみ閲覧させたい場合に、高い公開レベルを設定する。これとは異なり、制限なく閲覧可能とする場合には、低い公開レベルを設定する。これにより、このサーバによっては、アクセス制限を調整することができる。【０００８】
また、グループごとに、アルバム等の情報を共有する技術がある。【０００９】
このような背景に関連する技術としては、様々なものが知られている（例えば、特許文献３参照。）。【００１０】
例えば、特許文献３には、個々の端末装置はひとつのグループとして登録し、グループごとにグループの共有アルバムを閲覧及び編集する。
より具体的に説明すると、この端末装置は、近接した外部端末装置とそれぞれ無線通信を行う無線通信部を備える。また、この端末装置は、無線通信部を介して通信した外部端末装置と自装置とを一群の端末装置として識別するためのグループ識別情報を生成するグループ識別情報生成手段を備える。
そして、この端末装置は、グループ識別情報によって特定される複数の端末装置に対してグループ識別情報と対応付けられたコンテンツデータを提供するコンテンツデータ提供装置を備える。さらに、この端末装置は、コンテンツデータ提供装置へ、グループ識別情報生成手段が生成したグループ識別情報を送信する送信制御手段を備える。
このように、この端末装置によっては、複数の端末装置を簡単な操作で、かつセキュリティを高めてグループ化し、グループ化された複数の端末装置間でコンテンツデータを共有することができる。【００１１】
また、ソーシャルネットワーク内でコンテンツを共有する方法を修正する技術がある。【００１２】
このような背景に関連する技術としては、様々なものが知られている（例えば、特許文献４参照。）。【００１３】
例えば、特許文献４には、指定されたプライバシー設定をコンテンツに含めるソーシャルネットワーク内でコンテンツを共有する方法を修正できるソーシャルネットワークサービスが記載されている。
より具体的に説明すると、このソーシャルネットワークサービスは、ユーザ装置が、ソーシャルネットワークサービスのユーザとソーシャルネットワークサービスの他のユーザとの交流を可能にする任意の装置を含む。
ユーザ装置は、ウェブサーバと通信してデータを送受信する。ユーザ装置はまた、ウェブサーバからのコンテンツを含むウェブページをリクエストできる。
ユーザは、ウェブページにアクセスしながら、コンテンツをアップロードすることにより、ユーザ装置を介してソーシャルネットワークサービスにコンテンツを投稿できる。また、ユーザプロフィール格納部は、ウェブサーバと通信して、ソーシャルネットワークサービスの各ユーザにユーザプロフィールオブジェクトへのアクセスを提供する。ユーザープロフィールオブジェクトは、ソーシャルネットワークサービスの各ユーザーに、交流者の自動グループ化を生成するために使用できるグループ化データへのアクセスを提供する。
このように、このソーシャルネットワークサービスによっては、ユーザに対して、投稿するコンテンツ毎にプライバシー設定を用いてアップロードコンテンツのアクセス性を操作できるため、誰にコンテンツを視聴させるかに関する大きなフレキシビリティを付与できる。
【先行技術文献】
【特許文献】
【００１４】
【特許文献１】特許第４８８２６８６号公報
【特許文献２】特開２００８−１４６２４６号公報
【特許文献３】特開２０１０−１３０５３９号公報
【特許文献４】特表２０１２−５３０３２１号公報
【発明の概要】
【発明が解決しようとする課題】
【００１５】
しかしながら、特許文献１〜４に記載の技術によっては、コミュニティサービスの共有データを、簡単かつ明示的にシェアすることができない。【００１６】
本発明の目的は、上述した課題を解決する情報端末、アクセスシステム、情報処理方法及びプログラムを提供することにある。
【課題を解決するための手段】
【００１７】
上記課題を解決するために、本発明は、情報端末から投稿される投稿情報を収集するサーバから、特定の投稿情報を取得する取得部と、投稿情報を時系列情報に基づいて制御する制御部と、予め設定された設定動作を検知する検知部とを備え、制御部は、検知部が設定動作を検知すると、サーバから取得した他の情報端末の情報に基づき、他の情報端末が提供するデータの少なくとも一部を時系列情報に基づいて取得する共有処理を実行する情報端末を提供する。【００１８】
本発明はまた、第１の情報端末と、第２の情報端末と、前記第１の情報端末と前記第２の情報端末とでデータを共有する共同行為を行うことにより各情報端末からのデータの共有設定を行った際に、前記データの共有設定が行われている情報端末の一方の情報端末の投稿データまたは投稿データへのリンクを他方の情報端末のタイムラインに表示することにより前記データの共有を行うコミュニティサービス装置とを備えるアクセスシステムも提供する。【００１９】
本発明はまた、情報端末から投稿される投稿情報を収集するサーバから、特定の投稿情報を取得する取得段階と、投稿情報を表示する表示段階と、投稿情報を時系列的に配置する制御段階と、予め設定された設定動作を検知する検知段階とを有し、制御段階においては、検知段階において設定動作が検知されると、サーバから取得した他の情報端末の情報に基づき、他の情報端末が取得するデータの少なくとも一部を取得する共有処理を実行する情報処理方法も提供する。【００２０】
本発明はまた、コンピュータを、情報端末から投稿される投稿情報を収集するサーバから、特定の投稿情報を取得する取得部、投稿情報を表示する表示部、投稿情報を時系列的に配置する制御部、予め設定された設定動作を検知する検知部として機能させ、制御部は、検知部が設定動作を検知すると、サーバから取得した他の情報端末の情報に基づき、他の情報端末が取得するデータの少なくとも一部を取得する共有処理を実行するプログラムも提供する。【００２１】
なお、上記の発明の概要は、本発明の必要な特徴の全てを列挙したものではない。また、これらの特徴群のサブコンビネーションもまた、本発明となり得る。
【発明の効果】
【００２２】
以上の説明から明らかなように、この発明によっては、コミュニティサービスの共有データを、簡単かつ明示的にシェアすることができる。
【図面の簡単な説明】
【００２３】
【図１】本発明の一実施形態に係るアクセスシステムのブロック構成の一例を示す図である。
【図２】スマートフォンＳのブロック構成の一例を示す図である。
【図３】アクセスシステムにおける設定動作を行った後に情報を投稿する場合のシーケンス図である。
【図４】アクセスシステムにおける情報を投稿した後に設定動作を行った場合のシーケンス図である。
【発明を実施するための形態】
【００２４】
以下、発明の実施の形態を通じて本発明を説明するが、以下の実施形態は請求の範囲にかかる発明を限定するものではなく、また、実施形態の中で説明されている特徴の組み合わせの全てが発明の解決手段に必須であるとは限らない。
【００２５】
図１は、一実施形態に係るアクセスシステム１００のブロック構成の一例を示す。
アクセスシステム１００は、第１スマートフォンＳａと、第２スマートフォンＳｂと、本発明のコミュニティサービス装置としてのサーバ２とを備える。
また、アクセスシステム１００は、サーバ３を備える。そして、第１スマートフォンＳａ、第２スマートフォンＳｂ、他の各スマートフォンＳｃ、Ｓｄ、Ｓｅ、Ｓｆは、通信回線４を通じて、サーバ２、サーバ３に接続される。
なお、本実施形態では、第１スマートフォンＳａと第２スマートフォンＳｂ、スマートフォンＳｃとスマートフォンＳｄ、スマートフォンＳｅとスマートフォンＳｆは、それぞれグループ単位で扱う。
【００２６】
サーバ２は、各スマートフォンＳａ、Ｓｂによってデータを共有するための共同行為（設定動作）が行われることにより、各スマートフォンＳａ、Ｓｂからのデータの共有設定を行う。そして、サーバ２は、データの共有設定が行われている第１スマートフォンＳａのタイムラインに第２スマートフォンＳｂの投稿データまたは投稿データへのリンクを表示することにより、データの共有を行う。また、サーバ２は、データの共有設定を行った後、所定の条件が満たされたときにデータの共有設定を解除する。
【００２７】
なお、各スマートフォンＳａ、Ｓｂは、サーバ２に対するデータの共有設定に際し、共同行為が予め設定された行為であった場合は、共有相手に所定の制限を設定する。また、各スマートフォンＳａ、Ｓｂは、サーバ２に対するデータの共有設定に際し、共同行為が予め設定された行為であった場合は、片方向の共有を設定する。
各スマートフォンＳａ、Ｓｂは、サーバ２に対するデータの共有設定に際し、共有するデータを限定して設定することもできる。また、各スマートフォンＳａ、Ｓｂは、サーバ２に対するデータの共有設定に際し、共同行為が発生する以前のデータを共有することもできる。
即ち、所望の条件に対応する設定行為を予め決めておくことで、任意の条件での共有状態を実現することができる。
更に、各スマートフォンＳａ、Ｓｂは、サーバ２へのデータの投稿に際し、各スマートフォンＳａ、Ｓｂの共同行為を行った第２スマートフォンＳｂのユーザと一緒にいることを示す情報(位置情報など）を投稿データに付加することもできる。
【００２８】
図２は、各スマートフォン（Ｓとする）のブロック構成の一例を示す。なお、スマートフォンＳは、この発明における「情報端末」、「第１の情報端末」及び「第２の情報端末」の一例であってよい。
【００２９】
スマートフォンＳは、取得部１１と、表示部１２と、検知部１３と、制御部１４と備える。
取得部１１は、他のスマートフォンＳから投稿される投稿情報を収集するサーバ２から、特定の投稿情報を取得する。
表示部１２は、取得した投稿情報を表示する。
検知部１３は、予め設定された設定動作を検知する。
制御部１４は、投稿情報を時系列情報に基づいて制御する。制御部１４は、検知部１３が予め設定された設定動作を検知すると、サーバ３から取得した他のスマートフォンＳの情報に基づき、他のスマートフォンＳが取得するデータの少なくとも一部を時系列情報に基づいて取得する共有処理を実行する。
また、制御部１４は、予め設定された設定動作を検知すると、サーバ３から他のスマートフォンＳの情報を取得する。ここで、自端末の位置情報に基づき、サーバ３が抽出した他のスマートフォンＳの情報を取得するようにしても良い。
制御部１４はまた、予め設定された設定動作に基づく一定期間の間、投稿情報を取得する。
【００３０】
図３は、アクセスシステム１００における、上記所定の設定動作を行った後に情報を投稿する場合のシーケンス図である。一方、図４は、アクセスシステム１００における、情報を投稿した後に上記所定の設定動作を行った場合のシーケンス図である。
【００３１】
図３に示すように、ここでは、第１スマートフォンＳａのユーザＵａが、投稿記事Ｎａ１を第２スマートフォンＳｂのユーザＵｂに対して共有させる場合について説明する。
この場合、各ユーザＵａ、Ｕｂは、共有を行えるアプリケーション・ソフトウエアを事前に取得していることが条件である。そのため、各ユーザＵａ、Ｕｂは、各々のスマートフォンＳａ、Ｓｂの表示画面上において「連絡先」をタップしてから、「自分」をタップして個人情報の当該項目を確認しておく。
【００３２】
まず、第１スマートフォンＳａのユーザＵａと第２スマートフォンＳｂのユーザＵｂは、各々が共同行為（設定動作）としての揺さぶりを行う。
【００３３】
第１スマートフォンＳａは、揺さぶりを検知すると（Ｓ１）、サーバ３に対してＧＰＳ等による位置情報と揺さぶりを行った時刻情報とを送信する（Ｓ３）。同様に、第２スマートフォンＳｂは、揺さぶりを検知すると（Ｓ２）、サーバ３に対してＧＰＳ等による位置情報と揺さぶりを行った時刻情報とを送信する（Ｓ４）。なお、各スマートフォンＳａ、Ｓｂの揺さぶりの検知は、各スマートフォンＳａ、Ｓｂに内蔵されている加速度センサ等により行われる。
【００３４】
そして、サーバ３は、第１スマートフォンＳａからの位置情報、時刻情報と、第２スマートフォンＳｂからの位置情報、時刻情報とを照合する（Ｓ５）。
【００３５】
そして、サーバ３は、照合した情報間のマッチングが確認できると、第１スマートフォンＳａに対して、マッチング相手（ここでは第２スマートフォンＳｂ）の識別情報を送信する（Ｓ６）。同様に、サーバ３は、第２スマートフォンＳｂに対して、マッチング相手（ここでは第１スマートフォンＳa）の識別情報を送信する（Ｓ７）。
【００３６】
そして、第１スマートフォンＳａは、マッチング相手の識別情報と時刻情報と共に、投稿記事Ｎａ１の情報をサーバ２へ送信する（Ｓ８）。
【００３７】
そして、サーバ２は、ユーザＵａの記事のログに投稿記事Ｎａ１を公開する（Ｓ９）。
【００３８】
そして、サーバ２は、所定時間内であれば、ユーザＵｂの記事のログに（ユーザＵａが順次投稿する１つ以上の）投稿記事Ｎａ１を転載する（Ｓ１０）。
【００３９】
ここで、サーバ２がユーザＵｂの記事のログに投稿記事Ｎａ１を転載する所定時間とは、例えば、自動共有状態に入ってから（例えば、ステップＳ８で受信する時刻情報が示す時点から）、(i)数分後まで、(ii)当該ユーザ同士がもう一度「揺さぶり」を行ったときまで、(iii)所定数のデータ（記事）が共有される（転載される）まで、(iｖ) 当該ユーザが現在がいる場所を（所定距離以上）離れるまで、(ｖ) 当該ユーザ同士が離れるまで、のいずれかである。
なお、上記(ii)、(iｖ)、(ｖ)の場合、それらの判定に必要な情報(動作の検出や位置情報など）が、適宜サーバ２に提供される。
【００４０】
次に、図４に示すように、第１スマートフォンＳａのユーザＵａの記事のログに投稿記事Ｎａ２を公開した後に、第２スマートフォンＳｂのユーザＵｂとこれを共有する場合について説明する。
【００４１】
サーバ２は、第１スマートフォンＳａのユーザＵａから送信された投稿記事Ｎａ２の情報を公開する（Ｓ１１）。
【００４２】
次に、第１スマートフォンＳａのユーザＵａと第２スマートフォンＳｂのユーザＵｂは、共同行為としての揺さぶりを行う。
【００４３】
ステップＳ１２おいて、第１スマートフォンＳａは、揺さぶりを検知すると（Ｓ１２）、サーバ３に対して位置情報と揺さぶりを行った時刻情報とを送信する（Ｓ１３）。同様に、第２スマートフォンＳｂは、揺さぶりを検知すると（Ｓ１４）、サーバ３に対して位置情報と揺さぶりを行った時刻情報とを送信する（Ｓ１５）。
【００４４】
そして、サーバ３は、第１スマートフォンＳａからの位置情報、時刻情報と、第２スマートフォンＳｂからの位置情報、時刻情報とを照合する（Ｓ１６）。
【００４５】
そして、サーバ３は、情報のマッチングが確認できると、第１スマートフォンＳａに対してマッチング相手の識別情報を送信する（Ｓ１７）。同様に、サーバ３は、第２スマートフォンＳｂに対してマッチング相手の識別情報を送信する（Ｓ１８）。
【００４６】
そして、第１スマートフォンＳａは、マッチング相手の識別情報と時刻情報をサーバ２へ送信する（Ｓ１９）。同様に、第２スマートフォンＳｂは、マッチング相手の識別情報と時刻情報をサーバ２へ送信する（Ｓ２０）。
【００４７】
そして、サーバ２は、（ユーザＵａが順次投稿する１つ以上の）記事Ｎａ２の投稿が現在より遡る所定時間内であれば、ユーザＵｂの記事のログに投稿記事Ｎａ２を転載する（Ｓ２１）。
【００４８】
具体的には、例えば、最後に公開された記事から遡って所定時間内の記事、過去数分以内に投稿された記事、当該ユーザが現在いる場所に来てから遡って所定時間内の記事、当該ユーザ同士が会ってから遡って所定時間内の記事が転載される。
【００４９】
以上説明したように、本実施の形態の第１スマートフォンＳａによれば、制御部１４は、検知部１３が所定の設定動作を検知すると、サーバ３から取得した他の情報端末（第２スマートフォンＳｂ）の情報に基づき、第２スマートフォンＳｂが提供するデータの少なくとも一部を時系列情報に基づいて取得する共有処理を実行する。従って、第１スマートフォンＳａによれば、制御部１４は、共有データをコミュニティサービス上で簡単かつ明示的にシェアできる。
【００５０】
また、本実施の形態の第１スマートフォンＳａによれば、制御部１４は、所定の設定動作を検知すると、サーバ３から他の情報端末（第２スマートフォンＳｂ）の情報を取得できる。
【００５１】
そして、本実施の形態の第１スマートフォンＳａによれば、制御部１４は、所定の設定動作を検知すると、第１スマートフォンＳａの位置情報に基づき、サーバ３が抽出した他の情報端末の情報を取得できる。
【００５２】
そしてまた、本実施の形態の第１スマートフォンＳａによれば、制御部１４は、所定の設定動作に基づく一定期間の間、他の情報端末と投稿情報を共有できる。
【００５３】
本実施の形態のアクセスシステム１００によれば、サーバ２は、各スマートフォンＳａ、Ｓｂでデータを共有するための共同行為を行うことにより各スマートフォンＳａ、Ｓｂからのデータの共有設定を行った際に、データの共有設定が行われている第１スマートフォンＳａのタイムラインに第２スマートフォンＳｂの投稿データまたは投稿データへのリンクを表示する、または、第２スマートフォンＳｂのタイムラインに第１スマートフォンＳａの投稿データまたは投稿データへのリンクを表示することにより、データの共有を行うことができる。
【００５４】
また、本実施の形態のアクセスシステム１００によれば、サーバ２は、データの共有設定を行った後、所定の条件が満たされたときにデータの共有設定を解除するために、情報公開に制限を付与できる。
【００５５】
そして、本実施の形態のアクセスシステム１００によれば、各スマートフォンＳａ、Ｓｂは、サーバ２に対するデータの共有設定に際し、共同行為が予め設定された行為であった場合は、共有相手に制限を設定することにより、セキュリティを確保することもできる。
【００５６】
そしてまた、本実施の形態のアクセスシステム１００によれば、各スマートフォンＳａ、Ｓｂは、サーバ２に対するデータの共有設定に際し、共同行為が予め設定された行為であった場合は、片方向の共有を設定することもできる。
【００５７】
さらに、本実施の形態のアクセスシステム１００によれば、各スマートフォンＳａ、Ｓｂは、サーバ２に対するデータの共有設定に際し、共有するデータを限定して設定することもできる。
【００５８】
加えて、本実施の形態のアクセスシステム１００によれば、各スマートフォンＳａ、Ｓｂは、サーバ２に対するデータの共有設定に際し、共同行為が発生する以前のデータを共有することもできる。
【００５９】
さらに加えて、本実施の形態のアクセスシステム１００によれば、第１スマートフォンＳａは、サーバ２へのデータの投稿に際し、（スマートフォンＳａ、Ｓｂの）共同行為を行った第２スマートフォンＳｂのユーザＵｂと一緒にいることを示す情報（位置情報など）を投稿データに付加することもできる。
【００６０】
本実施の形態の情報処理方法によれば、共有データをコミュニティサービス上で簡単かつ明示的にシェアできる。
【００６１】
更に、本実施の形態の情報処理方法をコンピュータに実行させるプログラムによれば、共有データをコミュニティサービス上で簡単かつ明示的にシェアできる。
【００６２】
なお、本発明の情報端末、アクセスシステム、情報処理方法及びプログラムは、前述した一実施形態に限定するものでなく、適宜な変形や改良等が可能である。
【００６３】
この出願は、２０１３年４月１日に出願された日本出願特願２０１３−０７５６８４号を基礎とする優先権を主張し、その開示の全てをここに取り込む。
【産業上の利用可能性】
【００６４】
この発明によっては、コミュニティサービスの共有データを、簡単かつ明示的にシェアすることができる。
【符号の説明】
【００６５】
２  サーバ
１１  取得部
１２  表示部
１３  検知部
１４  制御部
１００  アクセスシステム
Ｓａ  第１スマートフォン
Ｓｂ  第２スマートフォン
【図１】
2014162920.tif 000003
【図２】
2014162920.tif 000004
【図３】
2014162920.tif 000005
【図４】
2014162920.tif 000006
【国際調査報告】
2014162920.tif 000007
2014162920.tif 000008
2014162920.tif 000009
2014162920.tif 000010